(57)【要約】      （修正有）【課題】ベルトコンベア方式で糞尿を自動清掃する機能を備えたペット用トイレ具を提供する。【解決手段】コンベアベルト５を回転させてベルト上にした糞を進行方向先端に設けた糞収納器まで運び清掃する。さらに、ベルトに貼りつく糞は回転するコンベアベルトに糞取りベラを当てて剥がし清掃をする。２本の台車の間にトイレシート１２を敷いて排尿を吸収する。糞収納器内の紙シートをコンベアベルトの下部まで敷きベルトと擦られてベルト表面に付着の糞尿を拭き取る。電動清掃化に伴うリスクとして発生するペットの安全性については、低速モーターの使用、Ｂ接点スイッチによる自動停止機能の設置、糞収納器の自動開閉扉の設置を施してペットの安全を確保した。本発明品と電源の間には用途に応じてリモコンスイッチ、オリジナルタイムスイッチ等を利用し、その操作で稼動をコントロールする。【選択図】図１
2010063447.tif 000002
【特許請求の範囲】
【請求項１】
（イ）一方を横方向、他方を上方向から台車の軸を挿入する構造を持つフレーム（２）をトレイ（１）上に設ける、フレーム（２）に２本の台車を挿入して設置する、うち一本の台車（４）に低速モーター（６）を取り付ける。
（ロ）トイレシート止め枠（１０）とトイレシート台（１１）でトイレシート（１２）を挟み、２本の台車（４）間のフレーム（２）に乗せる。
（ハ）コンベアベルト（５）の進行方向の先端に、紙シート（１５）を敷いた糞収納器（７）と、糞取りベラ（１４）を設ける。
（二）糞収納器（７）の上部のカバー（３）に糞収納器開閉扉（８）を設け、その下に動力としてソレノイド（９）を設ける。
（ホ）トレイ（１）にＢ接点スイッチ（１３）を設ける。
（ヘ）本発明品と電源の間には用途に応じてリモコンスイッチ、オリジナルタイムスイッチ、センサースイッチ等の各種スイッチを設ける。
以上のように構成された、ペット排泄物のトイレ具。
【発明の詳細な説明】
【技術分野】
【０００１】この発明は、電動清掃機能付のペット用トイレ具に関するものである。
【背景技術】
【０００２】従来のトイレ具は設置固定式のため、排泄物処理が飼い主とペットにとって大きな問題となっている。
【発明の開示】
【発明が解決しようとする課題】
【０００３】従来のトイレ具は設置固定式で、尿はトイレシートで吸収されるものの、糞はそのつど飼い主が清掃処理するか、清掃処理するまで放置されている。
室内犬は一日に５回前後（幼犬は８回前後）糞をするといわれているが、そのつど飼い主が清掃処理をしておりその負担が問題となっている。
また、飼い主が不在か共働き世帯では長時間に亘り糞の放置状態が続き、トレイ上に大量の糞が処理されないまま残され、尿と合わせた悪臭は不衛生で美観上もよくない。
犬も糞尿をよけながら歩いてはいるものの、踏み付けによる糞の散乱やペットへの付着が進み、結果としてトレイとペットの清掃に手間と時間がかかる。また、ペットの行動スペースも狭まる。【０００４】過去に電動による自動清掃化も試みられているものの、ペットの安全性の確保、分解水洗い清掃ができる構造、既存品の設置固定式と同程度の薄さとコンパクト化、ペットの噛み付きによる破損に耐えられる凹凸のない構造、などの点が解決されないことが課題となり実用化までには至っていない。
本発明は、以上のような欠点をなくすためになされたものです。
【特許文献１】特開２００５−４００１６
【課題を解決するための手段】
【０００５】表面を穴加工したコンベアベルトを回転させて、ベルト上にした糞を進行方向の先端に設けた糞収納器まで運び清掃する。尿は穴加工したコンベアベルトから下のトイレシートに流れて吸収される。
さらに、ベルトに粘りつく糞は、コンベアベルトの進行方向折返し下部に設けた、糞取りベラで剥がして糞収納器内に収納する。
糞収納器内の紙シートをコンベアベルトの下部に架かるまで敷き、回転するベルトと擦らせて、コンベアベルト表面に付着の糞尿を拭き取る。【０００６】分解水洗い清掃ができる構造、従来の設置固定タイプと同程度の薄さとコンパクト化、ペットの噛み付きによる破損に耐えられる凹凸のない構造等の課題の解決については、次の二つの方法で解決した。
１、一方を横方向から、他方を上方向から台車の軸を挿入する構造を持つフレームにしたことで、フレームから台車とコンベアベルトを容易に着脱することを可能にした。
装着方法としてはコンベアベルトに２本の台車を差し入れ、最初に横方向の軸受けに台車を挿入し、次に縦方向の軸受けに上から台車を挿入する方法である。外す場合はその逆の手順となる。
２、回転するコンベアベルト内に挿入式のトイレシート部分を設けた構造が、トイレシート部分の各部材を着脱可能にした。
装着方法としては、上記のコンベアベルトと台車の設置後にトイレシート台を挿入すればよい。
これも外す場合はその逆の手順となる。
以上の結果としてシンプルで薄くてフラットな構造となり、全ての課題が解消した。【０００７】糞をするつど飼い主が清掃処理する手間の軽減方法として、本発明品と電源の間にリモコンスイッチを設けて、糞の所在を確認のつど本発明品を稼動させて清掃を行う。糞収納器内の糞の清掃処理は１日に１から２回程度まとめて行えばよい。また、放尿のみの場合もベルト表面の水分吸収のためリモコンスイッチで稼動させてもよい。
長時間に亘る放置状態となる場合は、本発明品と電源の間にオリジナルタイムスイッチを設けて、適宜の間隔で繰り返し稼動させればよい。
たとえば１５分休止して１分稼動する、これを繰り返す設定をする。
休止と稼動の時間設定は現在のところ各１分単位で設定可能である。
また、各種のセンサースイッチを利用することも可能である。
ただし、いずれの場合もペットがトレイ上に居るときはＢ接点スイッチが優先して稼動停止となる。【０００８】ペットの安全性の確保については、Ｂ接点スイッチを設けペットがトレイ上にいるときはその体重を感知してスイッチオフの状態となり、すべての動力は稼動せずペットの安全を確保する。また、稼働中にペットが乗った場合も即時に停止する。
さらに、糞収納器の自動開閉扉の設置により糞収納器内へのペットの手足の落下防止を図った。
台車の駆動には低速モーターを使用し、コンベアベルトをゆっくり回転させた。また、必要最低限のトルクのモーターを使用して、万一でもペットの骨折等の怪我をしないように考慮した。
以上のような数々の対策により、ペットの安全の確保と不安を解消した。【０００９】外見上の構造は、あえて従来品の設置固定商品と同様のものとした。これはペットが従来品から躊躇することなく転用ができるよう考慮したものでもある。
【発明の効果】
【００１０】本発明のベルトコンベア方式による糞の回収により、飼い主が直接糞尿に手を触れる回数が大幅に減少した。また、トイレシートと紙シートは使い捨てタイプのため、糞尿と同時に廃棄処分ができる。リモコンスイッチとオリジナルタイマースイッチ使用による早目の処理が、ペットと飼い主の居住空間の改善がはかれた。【００１１】糞を取る手段として糞取りベラと紙シート。尿の吸収手段としてトイレシートと紙シートと二段構えとしたことで清掃効果を増大させた。【００１２】糞収納器の自動開閉扉の設置による効果として、通常は閉庫状態のため機密性が高まり悪臭を制御する効果がある。結果として糞収納器の清掃は一日に１から２回で済ませることができる。【００１３】以上、本発明について説明してきたが、具体的な構成はこれらに限られるものではなく、本発明の要旨を逸脱しない範囲における変更や追加があっても本発明に含まれる。
【発明の実施のための最良の形態】
【００１４】以下、本発明の実施形態を添付図面に基づいて詳細を説明する。
本発明のトイレ具の主な部品は、フレーム（２）、カバー（３）、台車（４）、コンベアベルト（５）、低速モーター（６）、糞収納器（７）、糞収納器開閉扉（８）、ソレノイド（９）、トイレシート留め枠（１０）、トイレシート台（１１）、トイレシート（１２）、Ｂ接点スイッチ（１３）、糞取りベラ（１４）、紙シート（１５）、紙シート留め具（１６）を備え、これらの部品はトレイ（１）の上に載置される。
トレイ（１）上に、一方を横方向から、一方を上方向から台車の軸を挿入する構造を持つフレーム（２）を設ける。
２本の台車（４）の間に、トイレシート止め枠（１０）とトイレシート台（１１）で挟んだトイレシート（１２）を設け、フレーム（２）に乗せる。
コンベアベルト（５）の一方の台車（４）に低速モーター（６）を取り付ける。
コンベアベルト（５）の進行方向の先端に糞収納器（７）を設ける。
コンベアベルト（５）の進行方向折返し下部に糞取りベラ（１４）を設ける。
糞収納器（４）の内部に紙シート（１５）を敷き、紙シート留め具（１６）で留める。
糞収納器（４）上部のカバー（３）に糞収納器開閉扉（８）を設ける。
糞収納器開閉扉（８）の下にソレノイド（９）を設ける。
トレイ（１）にＢ接点スイッチ（１３）を設ける。
トレイ（１）上にある、上記の全ての部材をカバー（３）で覆う。
本発明品と電源の間には用途に応じてリモコンスイッチ・オリジナルタイムスイッチ・センサースイッチ等の各種スイッチを設ける。
以上のように構成された、ペット排泄物のトイレ具。
次に、本発明の使い方を説明する。
穴加工をしたコンベアベルト（５）の一方の台車（１）を低速モーター（６）で、かさ歯車を中継して回転させ、ペットがベルト上にした糞を糞収納器（７）まで運び収納する。
ベルトに貼りつく糞は、回転するコンベアベルトに糞取りベラ（１４）を当てて剥がし清掃をする。２本の台車の間にトイレシート留め枠（１０）、トイレシート台（１１）からなる台に、トイレシート（１２）を敷きコンベアベルトの穴から流れ落ちる排尿を吸収する。
さらに、糞収納器（７）内の紙シート（１５）をコンベアベルトの下部に架かるまで敷き、紙シート留め具（１６）で固定する。この紙シートと回転するベルトと擦らせて、コンベアベルト表面に付着の糞尿を拭き取る。
糞収納器（７）上には糞収納開閉扉（８）を設けた。動力にはソレノイド（９）を使用しコンベアベルトと連動して自動開閉する。
トレイ（１）にＢ接点スイッチ（１３）を設けた。ペットがトレイ上にいるときはその体重を感知してスイッチオフの状態となり、すべての動力は稼動せずペットの安全を確保する。また、稼働中にペットが乗った場合も即時に停止する。
さらに、台車（４）の駆動には低速モーター（６）を使用し、コンベアベルト（５）をゆっくり回転させる。
【図面の簡単な説明】
【００１５】
【図１】  本発明の全体の分解斜視図１
【図２】  本発明の主要部分の側面図
【図３】  本発明の全体の分解斜視図２
【符号の説明】
【００１６】        １  トレイ
２  フレーム
３  カバー
４  台車
５  コンベアベルト
６  低速モーター
７  糞収納器
８  糞収納器開閉扉
９  ソレノイド
１０  トイレシート留め枠
１１  トイレシート台
１２  トイレシート
１３  Ｂ接点スイッチ
１４  糞取りベラ
１５  紙シート
１６  紙シート留め具
【図１】
2010063447.tif 000003
【図２】
2010063447.tif 000004
【図３】
2010063447.tif 000005